(57)【要約】【課題】ネジ節鉄筋の形状サイズを確実かつ簡易に識別することのできるネジ節鉄筋ゲージおよびその使用方法を提供する。【解決手段】外周面１２に設けられ、径方向に対峙する一対のネジ節部１４と、この径方向に対して直交する径方向に対峙する一対の非ネジ節部１６と、ネジ節部１４において軸線方向に等間隔ごとに形成されたネジ山１８とを有するネジ節鉄筋１０の形状を測定するためのネジ節鉄筋ゲージ１００であって、板状のゲージ本体２０と、ゲージ本体２０の一方の側部２２に形成される凹部２４とを備え、この凹部２４は、径方向からネジ節部１４に対して密接可能に凹状に湾曲した曲線部２６と、曲線部２６の両端に連続し、一対の非ネジ節部１６に対してそれぞれ密接可能に外側に直線状に延びた平行な一対の直線部２８とからなるようにする。【選択図】図１
2020002538.tif 000002
【特許請求の範囲】
【請求項１】
外周面に設けられ、径方向に対峙する一対のネジ節部と、この径方向に対して直交する径方向に対峙する一対の非ネジ節部と、ネジ節部において軸線方向に等間隔ごとに形成されたネジ山とを有するネジ節鉄筋の形状を測定するためのネジ節鉄筋ゲージであって、
板状のゲージ本体と、ゲージ本体の一方の側部に形成される凹部とを備え、この凹部は、径方向からネジ節部に対して密接可能に凹状に湾曲した曲線部と、曲線部の両端に連続し、一対の非ネジ節部に対してそれぞれ密接可能に外側に直線状に延びた平行な一対の直線部とからなることを特徴とするネジ節鉄筋ゲージ。
【請求項２】
曲線部の最奥位置から直線部の最外端位置までの直線部に沿う方向の寸法が、ネジ節鉄筋の一対のネジ節部の径方向の寸法である外径寸法に対応した長さに設定されていることを特徴とする請求項１に記載のネジ節鉄筋ゲージ。
【請求項３】
平行な一対の直線部の対向間隔が、ネジ節鉄筋の一対の非ネジ節部の径方向の寸法である基形部寸法に対応した長さに設定されていることを特徴とする請求項１または２に記載のネジ節鉄筋ゲージ。
【請求項４】
一対の直線部は短尺の直線部と長尺の直線部であり、短尺の直線部の最外端位置からゲージ本体の他方の側部までの直線部に沿う方向の寸法と、一対の直線部の対向方向のゲージ本体の寸法が、それぞれネジ節鉄筋のあきを測定可能な長さに設定されていることを特徴とする請求項１〜３のいずれか一つに記載のネジ節鉄筋ゲージ。
【請求項５】
請求項１〜４のいずれか一つに記載のネジ節鉄筋ゲージを使用する方法であって、
予めネジ節鉄筋の形状ごとに、その形状に適合する凹部を備えるネジ節鉄筋ゲージを準備し、ネジ節鉄筋の形状とネジ節鉄筋ゲージとを紐付けておくステップと、
測定対象のネジ節鉄筋のネジ節部に径方向外側からネジ節鉄筋ゲージの凹部を嵌め込んだ際に、曲線部がネジ節部に対して、直線部が非ネジ節部に対してそれぞれ密接した場合に、そのネジ節鉄筋ゲージに対応する形状としてネジ節鉄筋の形状を測定するステップとを備えることを特徴とするネジ節鉄筋ゲージの使用方法。
【請求項６】
請求項４に記載のネジ節鉄筋ゲージを使用する方法であって、
互いに平行に配置されたネジ節鉄筋の間に、このネジ節鉄筋の形状に適合するネジ節鉄筋ゲージを挿入して、ネジ節鉄筋のあきを確認するステップを備えることを特徴とするネジ節鉄筋ゲージの使用方法。
【発明の詳細な説明】
【技術分野】
【０００１】
本発明は、ネジ節鉄筋の形状サイズを測定するためのネジ節鉄筋ゲージおよびその使用方法に関するものである。
【背景技術】
【０００２】
建設分野における鉄筋コンクリート構築物においては、鉄筋のユニット施工や部材のＰＣａ（プレキャスト）化の普及に伴い、生産性向上を図るためネジ節鉄筋の使用が増えてきている。図６（１）は、一般的に使用されている竹節鉄筋、（２）はネジ節鉄筋である。各図において（ａ）は斜視図、（ｂ）は横断面図である。これらの図に示すように、ネジ節鉄筋２は、一般的に使用されている竹節鉄筋１とは異なりリブ３がなく細く見える形状となっている。
【０００３】
こうした鉄筋には、一般に、種類やサイズ（径）を区別するための表示がなされており、この表示を見ることで種類、サイズを識別可能である。例えば、竹節鉄筋の場合は、ＳＤ３４５やＳＤ３９０などの材種やＤ２５やＤ３５などのサイズは、鉄筋の外周面に形成される圧延マーク（ロールマーク）にて識別可能である。一方、ネジ節鉄筋の場合は、鉄筋メーカーにより識別方法は異なるが、例えば図７に示すように、材種ごとに外周面の一部に施された塗色４や圧延マーク５で識別可能である。また、サイズは一つおきに２色（塗色６）にて識別しているメーカーが主流である。
【０００４】
一方、異形棒鋼の形状を計測する従来の技術として、例えば特許文献１や特許文献２に示すような技術が知られている。
【先行技術文献】
【特許文献】
【０００５】
【特許文献１】特開平５−１８７８２５号公報
【特許文献２】特開２０１４−１８２０１９号公報
【発明の概要】
【発明が解決しようとする課題】
【０００６】
上述したように、ネジ節鉄筋の外周面に施された塗色や圧延マークを見ることで、その種類、サイズを識別可能である。しかしながら、サイズの識別を間違えたり、人によっては識別に時間がかかるおそれがあった。なぜなら、サイズ一つおきに施された２色によりサイズが表されているからである。識別を間違えて、設計とは異なるネジ節鉄筋が使用されると、設計での要求品質が得られなくなるおそれがある。設計での要求品質を確保するためには、誰が識別しても同じ識別結果が得られなければならない。このため、ネジ節鉄筋の形状サイズを確実かつ簡易に識別することのできる技術が求められていた。
【０００７】
本発明は、上記に鑑みてなされたものであって、ネジ節鉄筋の形状サイズを確実かつ簡易に識別することのできるネジ節鉄筋ゲージおよびその使用方法を提供することを目的とする。
【課題を解決するための手段】
【０００８】
上記した課題を解決し、目的を達成するために、本発明に係るネジ節鉄筋ゲージは、外周面に設けられ、径方向に対峙する一対のネジ節部と、この径方向に対して直交する径方向に対峙する一対の非ネジ節部と、ネジ節部において軸線方向に等間隔ごとに形成されたネジ山とを有するネジ節鉄筋の形状を測定するためのネジ節鉄筋ゲージであって、板状のゲージ本体と、ゲージ本体の一方の側部に形成される凹部とを備え、この凹部は、径方向からネジ節部に対して密接可能に凹状に湾曲した曲線部と、曲線部の両端に連続し、一対の非ネジ節部に対してそれぞれ密接可能に外側に直線状に延びた平行な一対の直線部とからなることを特徴とする。
【０００９】
また、本発明に係る他のネジ節鉄筋ゲージは、上述した発明において、曲線部の最奥位置から直線部の最外端位置までの直線部に沿う方向の寸法が、ネジ節鉄筋の一対のネジ節部の径方向の寸法である外径寸法に対応した長さに設定されていることを特徴とする。
【００１０】
また、本発明に係る他のネジ節鉄筋ゲージは、上述した発明において、平行な一対の直線部の対向間隔が、ネジ節鉄筋の一対の非ネジ節部の径方向の寸法である基形部寸法に対応した長さに設定されていることを特徴とする。
【００１１】
また、本発明に係る他のネジ節鉄筋ゲージは、上述した発明において、一対の直線部は短尺の直線部と長尺の直線部であり、短尺の直線部の最外端位置からゲージ本体の他方の側部までの直線部に沿う方向の寸法と、一対の直線部の対向方向のゲージ本体の寸法が、それぞれネジ節鉄筋のあきを測定可能な長さに設定されていることを特徴とする。
【００１２】
また、本発明に係るネジ節鉄筋ゲージの使用方法は、上述したネジ節鉄筋ゲージを使用する方法であって、予めネジ節鉄筋の形状ごとに、その形状に適合する凹部を備えるネジ節鉄筋ゲージを準備し、ネジ節鉄筋の形状とネジ節鉄筋ゲージとを紐付けておくステップと、測定対象のネジ節鉄筋のネジ節部に径方向外側からネジ節鉄筋ゲージの凹部を嵌め込んだ際に、曲線部がネジ節部に対して、直線部が非ネジ節部に対してそれぞれ密接した場合に、そのネジ節鉄筋ゲージに対応する形状としてネジ節鉄筋の形状を測定するステップとを備えることを特徴とする。
【００１３】
また、本発明に係る他のネジ節鉄筋ゲージの使用方法は、上述したネジ節鉄筋ゲージを使用する方法であって、互いに平行に配置されたネジ節鉄筋の間に、このネジ節鉄筋の形状に適合するネジ節鉄筋ゲージを挿入して、ネジ節鉄筋のあきを確認するステップを備えることを特徴とする。
【発明の効果】
【００１４】
本発明に係るネジ節鉄筋ゲージによれば、外周面に設けられ、径方向に対峙する一対のネジ節部と、この径方向に対して直交する径方向に対峙する一対の非ネジ節部と、ネジ節部において軸線方向に等間隔ごとに形成されたネジ山とを有するネジ節鉄筋の形状を測定するためのネジ節鉄筋ゲージであって、板状のゲージ本体と、ゲージ本体の一方の側部に形成される凹部とを備え、この凹部は、径方向からネジ節部に対して密接可能に凹状に湾曲した曲線部と、曲線部の両端に連続し、一対の非ネジ節部に対してそれぞれ密接可能に外側に直線状に延びた平行な一対の直線部とからなるので、ネジ節鉄筋に凹部を嵌め込んで曲線部に対するネジ節部の適合性と、直線部に対する非ネジ節部の適合性を目視等で確認することにより、ネジ節鉄筋の形状サイズを確実かつ簡易に識別することができるという効果を奏する。
【００１５】
また、本発明に係る他のネジ節鉄筋ゲージによれば、曲線部の最奥位置から直線部の最外端位置までの直線部に沿う方向の寸法が、ネジ節鉄筋の一対のネジ節部の径方向の寸法である外径寸法に対応した長さに設定されているので、ネジ節鉄筋の外径寸法を目視等で確実かつ簡易に識別することができるという効果を奏する。
【００１６】
また、本発明に係る他のネジ節鉄筋ゲージによれば、平行な一対の直線部の対向間隔が、ネジ節鉄筋の一対の非ネジ節部の径方向の寸法である基形部寸法に対応した長さに設定されているので、ネジ節鉄筋の基形部寸法を目視等で確実かつ簡易に識別することができるという効果を奏する。
【００１７】
また、本発明に係る他のネジ節鉄筋ゲージによれば、一対の直線部は短尺の直線部と長尺の直線部であり、短尺の直線部の最外端位置からゲージ本体の他方の側部までの直線部に沿う方向の寸法と、一対の直線部の対向方向のゲージ本体の寸法が、それぞれネジ節鉄筋のあきを測定可能な長さに設定されているので、ゲージ本体をネジ節鉄筋の間に挿入することにより、ネジ節鉄筋のあきを確実かつ簡易に確認することができるという効果を奏する。
【００１８】
また、本発明に係るネジ節鉄筋ゲージの使用方法によれば、上述したネジ節鉄筋ゲージを使用する方法であって、予めネジ節鉄筋の形状ごとに、その形状に適合する凹部を備えるネジ節鉄筋ゲージを準備し、ネジ節鉄筋の形状とネジ節鉄筋ゲージとを紐付けておくステップと、測定対象のネジ節鉄筋のネジ節部に径方向外側からネジ節鉄筋ゲージの凹部を嵌め込んだ際に、曲線部がネジ節部に対して、直線部が非ネジ節部に対してそれぞれ密接した場合に、そのネジ節鉄筋ゲージに対応する形状としてネジ節鉄筋の形状を測定するステップとを備えるので、ネジ節鉄筋の形状サイズを確実かつ簡易に識別することができるという効果を奏する。
【００１９】
また、本発明に係る他のネジ節鉄筋ゲージの使用方法によれば、上述したネジ節鉄筋ゲージを使用する方法であって、互いに平行に配置されたネジ節鉄筋の間に、このネジ節鉄筋の形状に適合するネジ節鉄筋ゲージを挿入して、ネジ節鉄筋のあきを確認するステップを備えるので、ネジ節鉄筋のあきを確実かつ簡易に確認することができるという効果を奏する。
【図面の簡単な説明】
【００２０】
【図１】図１は、本発明に係るネジ節鉄筋ゲージの実施の形態を示す図であり、（１）はネジ節鉄筋の横断面図、（２）はネジ節鉄筋ゲージの正面図である。
【図２】図２は、本発明に係るネジ節鉄筋ゲージの実施の形態を示す図であり、（１）は正面図、（２）は左側面図、（３）は右側面図、（４）は平面図、（５）は底面図である。
【図３】図３は、本発明に係るネジ節鉄筋ゲージの各サイズの実施例を示す図であり、（１）はＤ３２、（２）はＤ２９、（３）はＤ２５、（４）はＤ２２、（５）はＤ１９、（６）はＤ１６、（７）はＤ１３である。
【図４】図４は、本発明に係るネジ節鉄筋ゲージの使用方法の実施の形態を示す図であり、（１）は鉄筋単体のサイズを確認する場合、（２）は鉄筋のあき寸法を確認する場合、（３）は柱や梁などの並んだ鉄筋を確認する場合である。
【図５】図５は、本発明による検査状況を示す図であり、（１）はロールマーク確認状況、（２）はゲージキャリブレーション状況、（３）は柱筋サイズ検査（適合）状況、（４）は柱筋あき検査（適合）状況、（５）は梁筋サイズ検査（適合）状況、（６）はゲージ保管（ひも束ね）状況である。
【図６】図６は、鉄筋の概略図であり、（１）は竹節鉄筋、（２）はネジ節鉄筋である。
【図７】図７は、ネジ節鉄筋のサイズおよび鋼種の識別マークの一例を示す図である。
【発明を実施するための形態】
【００２１】
以下に、本発明に係るネジ節鉄筋ゲージおよびその使用方法の実施の形態を図面に基づいて詳細に説明する。なお、この実施の形態によりこの発明が限定されるものではない。
【００２２】
（ネジ節鉄筋ゲージ）
まず、本発明に係るネジ節鉄筋ゲージの実施の形態について説明する。図１（１）は測定対象のネジ節鉄筋の横断面図、（２）は本実施の形態に係るネジ節鉄筋ゲージの正面図である。
【００２３】
図１（１）に示すように、ネジ節鉄筋１０は、外周面１２に設けられ、径方向に対峙する一対のネジ節部１４と、この径方向に対して直交する径方向に対峙する一対の非ネジ節部１６とを有する。ネジ節部１４には、紙面に垂直な軸線方向に等間隔ごとにネジ山１８が形成されている。このネジ節鉄筋１０を斜めから見た様子は、図６（２）の（ａ）と同様である。図１（１）に示すように、ネジ節鉄筋１０の一対のネジ節部１４の径方向の寸法を外径寸法Ｄ、一対の非ネジ節部１６の径方向の寸法を基形部寸法Ｂとする。
【００２４】
本実施の形態に係るネジ節鉄筋ゲージ１００は、ネジ節鉄筋１０の形状を測定するためのものである。図１（２）および図２に示すように、このネジ節鉄筋ゲージ１００は、板状のゲージ本体２０と、ゲージ本体２０の一方の側部２２に形成される凹部２４とを備える。凹部２４は、曲線部２６と、一対の直線部２８とからなる。なお、この凹部２４がネジ節鉄筋１０の形状サイズを確認する機能を有し、後述する他方の側部３６がネジ節鉄筋１０のあき（間隔）を確認する機能を有している。
【００２５】
曲線部２６は、径方向からネジ節部１４に対して密接可能に略円弧状（凹状）に湾曲した部分である。一対の直線部２８は、曲線部２６の両端に連続し、一対の非ネジ節部１６に対してそれぞれ密接可能に外側に平行な直線状に延びた部分である。この一対の直線部２８は、短尺の直線部２８Ａと長尺の直線部２８Ｂとにより構成される。
【００２６】
曲線部２６の最奥位置３０から直線部２８Ｂの最外端位置３２までの直線部２８Ｂに沿う方向の寸法は、外径寸法Ｄに設定されている。また、直線部２８Ａ、２８Ｂの対向間隔は、基形部寸法Ｂに設定されている。
【００２７】
短尺の直線部２８Ａの最外端位置３４からゲージ本体２０の他方の側部３６までの直線部２８Ａに沿う方向の寸法と、直線部２８Ａ、２８Ｂの対向方向のゲージ本体２０の寸法は、それぞれネジ節鉄筋１０のあきを測定可能な長さＣに設定されている。本実施の形態では、この長さＣはネジ節鉄筋１０の呼び名の１．５倍に設定されている。このゲージ本体２０の側部３６は、凹部２４の曲線部２６に対応して略円弧状に突出形成されている。
【００２８】
本実施の形態によれば、ネジ節鉄筋１０に凹部２４を嵌め込んで、曲線部２６に対するネジ節部１４の適合性と、直線部２８Ａ、２８Ｂに対する非ネジ節部１６の適合性を目視等で確認することにより、ネジ節鉄筋１０の形状サイズ（呼び名）を確実かつ簡易に識別することができる。また、ゲージ本体２０を、配筋した２本のネジ節鉄筋１０の間に挿入することにより、ネジ節鉄筋１０のあきを確実かつ簡易に確認することができる。
【００２９】
（ネジ節鉄筋ゲージの使用方法）
次に、本発明に係るネジ節鉄筋ゲージの使用方法の実施の形態について説明する。
【００３０】
本実施の形態では、まず、予めネジ節鉄筋１０の形状サイズごとに、その形状サイズに適合する凹部２４を備えたネジ節鉄筋ゲージ１００を準備し、ネジ節鉄筋１０の形状サイズとネジ節鉄筋ゲージ１００とを紐付けておくものとする。
【００３１】
図３は、ネジ節鉄筋ゲージ１００のバリエーションの一例である。この図の例では、各ネジ節鉄筋ゲージ１００Ａ〜１００Ｇは、それぞれネジ節鉄筋１０の呼び名（Ｄ３２、Ｄ２９、Ｄ２５、Ｄ２２、Ｄ１９、Ｄ１６、Ｄ１３）の形状サイズに適合する凹部２４を備えている。なお、本発明は上記の呼び名（Ｄ３２、Ｄ２９、Ｄ２５、Ｄ２２、Ｄ１９、Ｄ１６、Ｄ１３）の形状サイズに限るものではなく、例えばＤ３５、Ｄ３８、Ｄ４１などの他の形状サイズに適合する凹部２４を備えたネジ節鉄筋ゲージ１００を作成してもよい。
【００３２】
各ネジ節鉄筋ゲージは透明なアクリル製のゲージ本体２０からなり、各ゲージ本体には適合する呼び名を表す刻印３８が形成されている。また、各ゲージ本体には、各ネジ節鉄筋ゲージを結束紐で束ねるための穴４０があけられている。図５（６）に示すように、各ネジ節鉄筋ゲージ１００Ａ〜１００Ｇは穴４０に通した結束紐４２で束ねて保管されている。各ネジ節鉄筋ゲージは、この束の状態で使用してもよいし、結束紐４２から必要なものを取り外して使用してもよい。
【００３３】
次に、上記のネジ節鉄筋ゲージ１００の具体的な使用方法について説明する。
例えば、ネジ節鉄筋１０単体の形状サイズを確認する場合には、図４（１）に示すように、ネジ節鉄筋１０のネジ節部１４に対して径方向外側から各ネジ節鉄筋ゲージ１００の凹部２４を嵌め込んでみる。この結果、曲線部２６がネジ節部１４に対して、直線部２８が非ネジ節部１６に対してそれぞれ密接した場合に、そのネジ節鉄筋ゲージ１００に表示されている呼び名が、ネジ節鉄筋１０の形状サイズということになる。このようにすることで、ネジ節鉄筋１０の形状サイズを確実かつ簡易に識別することができる。
【００３４】
また、配筋されたネジ節鉄筋１０のあきを確認する場合には、図４（２）に示すように、ネジ節鉄筋１０の間に、このネジ節鉄筋１０の形状に適合するネジ節鉄筋ゲージ１００を側部３６側から挿入してみる。直線部２８Ａ、２８Ｂの対向方向のゲージ本体２０の寸法は、ネジ節鉄筋１０のあきを測定可能な長さＣに設定されているので、ネジ節鉄筋ゲージ１００を側部３６側から挿入することでネジ節鉄筋１０のあきＡを確認可能である。このようにすることで、ネジ節鉄筋１０のあきＡを確実かつ簡易に確認することができる。
【００３５】
また、柱や梁などに密集配置されたネジ節鉄筋１０の形状サイズを確認する場合には、図４（３）に示すように、ネジ節鉄筋１０の間にネジ節鉄筋ゲージ１００を短尺の直線部２８Ａの側から挿入し、図４（１）の場合と同様に、一方のネジ節鉄筋１０のネジ節部１４に対して径方向外側からネジ節鉄筋ゲージ１００の凹部２４を嵌め込んでみる。この結果、曲線部２６がネジ節部１４に対して、直線部２８が非ネジ節部１６に対してそれぞれ密接した場合に、そのネジ節鉄筋ゲージ１００に表示されている呼び名が、ネジ節鉄筋１０の形状サイズということになる。このようにすることで、柱や梁などに密集配置されたネジ節鉄筋１０の形状サイズを確実かつ簡易に識別することができる。
【００３６】
次に、上記の使用方法を用いた施工現場での適用例について説明する。
まず、施工現場にネジ節鉄筋１０を受け入れた際に、ネジ節鉄筋ゲージ１００のキャリブレーションを行う。例えば、ネジ節鉄筋１０に施された塗色、ロールマーク、納品書、ミルシートなどを照合して呼び名（形状サイズ）を確認する。さらに鉄筋組立時に、図５（１）に示すように、塗色６等のマークを確認するとともに、図５（２）に示すように、確認された呼び名に対応するネジ節鉄筋ゲージ１００をネジ節鉄筋１０に嵌め込んでみて、形状サイズが実際に適合することを確認する。
【００３７】
その後、図５（３）〜（５）に示すように、ネジ節鉄筋ゲージ１００を用いて柱筋サイズ検査、柱筋あき検査、梁筋サイズ検査を行う。これらの検査は上記の使用方法を適用して行うことができる。このようにすれば、ネジ節鉄筋１０の形状サイズを確実かつ簡易に識別することができる。
【００３８】
以上説明したように、本発明に係るネジ節鉄筋ゲージによれば、外周面に設けられ、径方向に対峙する一対のネジ節部と、この径方向に対して直交する径方向に対峙する一対の非ネジ節部と、ネジ節部において軸線方向に等間隔ごとに形成されたネジ山とを有するネジ節鉄筋の形状を測定するためのネジ節鉄筋ゲージであって、板状のゲージ本体と、ゲージ本体の一方の側部に形成される凹部とを備え、この凹部は、径方向からネジ節部に対して密接可能に凹状に湾曲した曲線部と、曲線部の両端に連続し、一対の非ネジ節部に対してそれぞれ密接可能に外側に直線状に延びた平行な一対の直線部とからなるので、ネジ節鉄筋に凹部を嵌め込んで曲線部に対するネジ節部の適合性と、直線部に対する非ネジ節部の適合性を目視等で確認することにより、ネジ節鉄筋の形状サイズを確実かつ簡易に識別することができる。
【００３９】
また、本発明に係る他のネジ節鉄筋ゲージによれば、曲線部の最奥位置から直線部の最外端位置までの直線部に沿う方向の寸法が、ネジ節鉄筋の一対のネジ節部の径方向の寸法である外径寸法に対応した長さに設定されているので、ネジ節鉄筋の外径寸法を目視等で確実かつ簡易に識別することができる。
【００４０】
また、本発明に係る他のネジ節鉄筋ゲージによれば、平行な一対の直線部の対向間隔が、ネジ節鉄筋の一対の非ネジ節部の径方向の寸法である基形部寸法に対応した長さに設定されているので、ネジ節鉄筋の基形部寸法を目視等で確実かつ簡易に識別することができる。
【００４１】
また、本発明に係る他のネジ節鉄筋ゲージによれば、一対の直線部は短尺の直線部と長尺の直線部であり、短尺の直線部の最外端位置からゲージ本体の他方の側部までの直線部に沿う方向の寸法と、一対の直線部の対向方向のゲージ本体の寸法が、それぞれネジ節鉄筋のあきを測定可能な長さに設定されているので、ゲージ本体をネジ節鉄筋の間に挿入することにより、ネジ節鉄筋のあきを確実かつ簡易に確認することができる。
【００４２】
また、本発明に係るネジ節鉄筋ゲージの使用方法によれば、上述したネジ節鉄筋ゲージを使用する方法であって、予めネジ節鉄筋の形状ごとに、その形状に適合する凹部を備えるネジ節鉄筋ゲージを準備し、ネジ節鉄筋の形状とネジ節鉄筋ゲージとを紐付けておくステップと、測定対象のネジ節鉄筋のネジ節部に径方向外側からネジ節鉄筋ゲージの凹部を嵌め込んだ際に、曲線部がネジ節部に対して、直線部が非ネジ節部に対してそれぞれ密接した場合に、そのネジ節鉄筋ゲージに対応する形状としてネジ節鉄筋の形状を測定するステップとを備えるので、ネジ節鉄筋の形状サイズを確実かつ簡易に識別することができる。
【００４３】
また、本発明に係る他のネジ節鉄筋ゲージの使用方法によれば、上述したネジ節鉄筋ゲージを使用する方法であって、互いに平行に配置されたネジ節鉄筋の間に、このネジ節鉄筋の形状に適合するネジ節鉄筋ゲージを挿入して、ネジ節鉄筋のあきを確認するステップを備えるので、ネジ節鉄筋のあきを確実かつ簡易に確認することができる。
【産業上の利用可能性】
【００４４】
以上のように、本発明に係るネジ節鉄筋ゲージおよびその使用方法は、鉄筋コンクリート構築物などに用いるネジ節鉄筋の識別に有用であり、特に、ネジ節鉄筋の形状サイズを確実かつ簡易に識別するのに適している。
【符号の説明】
【００４５】
１０  ネジ節鉄筋
１２  外周面
１４  ネジ節部
１６  非ネジ節部
１８  ネジ山
２０  ゲージ本体
２２  一方の側部
２４  凹部
２６  曲線部
２８  直線部
２８Ａ  短尺の直線部
２８Ｂ  長尺の直線部
３０  最奥位置
３２，３４  最外端位置
３６  他方の側部
３８  刻印
４０  穴
４２  結束紐
１００  ネジ節鉄筋ゲージ
Ａ  あき
Ｂ  基形部寸法
Ｃ  長さ
Ｄ  外径寸法
【図１】
2020002538.tif 000003
【図２】
2020002538.tif 000004
【図３】
2020002538.tif 000005
【図４】
2020002538.tif 000006
【図５】
2020002538.tif 000007
【図６】
2020002538.tif 000008
【図７】
2020002538.tif 000009